(57)【要約】【課題】導通の信頼性を確保しつつコンセント部を利用した状態でコードの引き出しおよび巻き取りが可能なコード巻き取り装置を得る。【解決手段】リール軸１４ｃを中心に回転自在に設けられてケース１０内に収容され、先端にプラグ１２が取り付けられたコード１３が巻き付けられるリール１４と、コード１３を巻き取る方向にリール１４を付勢するゼンマイバネ１６と、ゼンマイバネ１６の付勢力に抗してリール１４の回転を阻止する第１の状態とリール１４の回転を許容する第２の状態とを選択的にとる係止部と、ケース１０に固定されたコンセント部１１と、コンセント部１１と導通する複数の配線パターン１８ａが同心円上に形成された配線板１８と、コード１３と導通してリール１４に取り付けられ、リール１４の回転により配線板１８の配線パターン１８ａと摺動して回転する複数の接点部１７とを有するコード巻き取り装置とする。【選択図】　　　　図２
2004115134.tif 000002
【特許請求の範囲】
【請求項１】
リール軸を中心に回転自在に設けられてケース内に収容され、先端にプラグまたはコンセントボックスが取り付けられたコードが巻き付けられるリールと、
前記コードを巻き取る方向に前記リールを付勢するゼンマイバネと、
前記ゼンマイバネの付勢力に抗して前記リールの回転を阻止する第１の状態と前記リールの回転を許容する第２の状態とを選択的にとる係止部と、
前記ケースに固定されたコンセント部と、
前記コンセント部と導通する複数の配線パターンが同心円上に形成された配線板と、
前記コードと導通して前記リールに取り付けられ、前記リールの回転により前記配線板の前記配線パターンとそれぞれ摺動して回転する複数の接点部とを有することを特徴とするコード巻き取り装置。
【請求項２】
前記コンセント部は、前記リールの軸方向以外の箇所に設置されていることを特徴とする請求項１記載のコード巻き取り装置。
【請求項３】
前記接点部は、前記配線パターンに対して圧接するブラシ構造となっていることを特徴とする請求項１または２記載のコード巻き取り装置。
【請求項４】
前記接点部は、複数位置で前記配線パターンと接触していることを特徴とする請求項３記載のコード巻き取り装置。
【請求項５】
前記係止部は、
前記リールの外周面に形成されてストッパ溝を有するラチェットと、
前記ケース側に設けられ、前記リールの回転が所定速度以下の場合には前記ストッパ溝にはまり込んで前記リールの回転を阻止し、所定速度以上の場合には前記ストッパ溝へのはまり込みが不能になって前記リールの回転を許容するピンとを備えたことを特徴とする請求項１〜４の何れか一項に記載のコード巻き取り装置。
【請求項６】
前記ラチェットは、前記リールの外周面の周方向に複数設置されていることを特徴とする請求項５記載のコード巻き取り装置。
【請求項７】
前記リールは、周壁が相互に接近して連続した波形の空間であるコードガイド部を形成する第１のドラムおよび第２のドラムを備えたことを特徴とする請求項１〜６の何れか一項に記載のコード巻き取り装置。
【請求項８】
前記コードは、その径方向の断面における相互に直交する径が異なる平形であることを特徴とする請求項１〜７の何れか一項に記載のコード巻き取り装置。
【発明の詳細な説明】
【０００１】
【発明の属する技術分野】
本発明はコード巻き取り装置に関するものである。
【０００２】
【従来の技術】
使用する電化製品の設置場所が壁コンセントから遠く、その電化製品に取り付けられたコードのプラグが壁コンセントまで届かない場合には、延長コードやコード付きテーブルタップ（以下、「延長コード等」という。）が用いられている。つまり、電化製品側のプラグを延長コード等に差し込み、延長コード等に設けられたプラグを壁コンセントに差し込むことによって電化製品への電源供給を行っている。
【０００３】
ここで、延長コード等ではコードが長すぎたり、あるいは短すぎたりして、使用に際して必要且つ十分な長さのコード長でない場合が多い。また、延長コード等を使用しないときには、長いコードが邪魔になってスッキリとしまい込むことができない。
【０００４】
このような問題を解決するために、たとえば特開昭６２−１７９６８号公報や特開平６３−２７４０７５号公報には、コンセント部が取り付けられたコードがケースから伸縮可能になった技術が記載されている。これらの技術では、ケース側のプラグを壁コンセントに挿し込むことから、ケースは壁コンセントの近くに設置し、ケースからコードを引き出してコンセント部に電化製品のプラグを差し込むという使用形態となる。
【０００５】
【発明が解決しようとする課題】
しかしながら、前述した技術では、壁コンセントが家具などに邪魔されて狭い場所にある場合には、ケース側のプラグが壁コンセントまで届かず、使用できなくなる。
【０００６】
ここで、プラグの取り付けられたコードを長くし、ケース側のコンセント部はケースに固定した構造を採用すれば使用できるが、回転するリールと固定されたコンセント部との導通をどうするかが問題となる。
【０００７】
また、コードを巻き取る方向にリールが回転すると、コードはコードがリール軸の一点に巻き取られるので、巻き取り径が大きくなるためにコードがケースの内壁に当たって巻き取りができなくなったり、コードを引き出したときに絡み合ったりするので、コードの引き出しおよび巻き取りを円滑に行うことができない。
【０００８】
そこで、本発明は、導通の信頼性を確保しつつコンセント部を利用した状態でコードの引き出しおよび巻き取りが可能なコード巻き取り装置を提供することを目的とする。
【０００９】
また、本発明は、コードをリールのリール軸に万遍なく巻き取ることのできるコード巻き取り装置を提供することを目的とする。
【００１０】
【課題を解決するための手段】
上記課題を解決するため、本発明に係るコード巻き取り装置は、リール軸を中心に回転自在に設けられてケース内に収容され、先端にプラグまたはコンセントボックスが取り付けられたコードが巻き付けられるリールと、コードを巻き取る方向にリールを付勢するゼンマイバネと、ゼンマイバネの付勢力に抗してリールの回転を阻止する第１の状態とリールの回転を許容する第２の状態とを選択的にとる係止部と、ケースに固定されたコンセント部と、コンセント部と導通する複数の配線パターンが同心円上に形成された配線板と、コードと導通してリールに取り付けられ、リールの回転により配線板の配線パターンとそれぞれ摺動して回転する複数の接点部とを有することを特徴とする。
【００１１】
このような発明によれば、コードが巻き付けられるリールに取り付けられた接点部がコンセント部と導通した配線板の配線パターンと摺動しながら回転することから、リールが回転してもコンセント部は回転しないので、導通の信頼性を確保しつつコンセント部を利用した状態でコードの引き出しおよび巻き取りが可能になる。
【００１２】
また、上記課題を解決するため、本発明に係るコード巻き取り装置は、前述した発明において、リールは、周壁が相互に接近して連続した波形の空間であるコードガイド部を形成する第１のドラムおよび第２のドラムを備えたことを特徴とする。
【００１３】
このような発明によれば、コードを巻き取る方向にリールが回転すると、コードはコードガイド部に案内されてリール軸の軸方向に沿って往復動しながら巻き取られていくので、コードをリールのリール軸に万遍なく巻き取ることが可能になる。
【００１４】
【発明の実施の形態】
以下、本発明の実施の形態を、図面を参照しつつさらに具体的に説明する。ここで、添付図面において同一の部材には同一の符号を付しており、また、重複した説明は省略されている。なお、発明の実施の形態は、本発明が実施される特に有用な形態としてのものであり、本発明がその実施の形態に限定されるものではない。
【００１５】
（実施の形態１）
図１は本発明の実施の形態１におけるコード巻き取り装置を示す斜視図、図２は図１のコード巻き取り装置の内部構造を示す分解斜視図である。
図１に示すように、本実施の形態のコード巻き取り装置は、下方に位置する下部ケース１０ａと、この下部ケース１０ａの蓋となる上部ケース１０ｂとで構成されるケース１０を備えている。そして、ケース１０の上面にはコンセント部１１が設置され、側面には先端にプラグ１２が取り付けられたコード１３が延びている。
【００１６】
図２に示すように、ケース１０の内部には、押さえ板１５に支持されたリール１４が収容されている。リール１４は、第１のドラム１４ａと第２のドラム１４ｂとが嵌合したものから構成されている。このリール１４は、押さえ板１５に支持されることにより、２つのドラム１４ａ，１４ｂの一部からなるリール軸１４ｃを中心に回転自在となっている。そして、前述したコード１３の他端がリール軸１４ｃに固定され、コード１３はリール１４に巻き付けられるようになっている。なお、第１のドラム１４ａと第２のドラム１４ｂとは、別体ではなく、一体になっていてもよい。
【００１７】
リール１４と押さえ板１５との間には、このようなリール１４をコード１３を巻き取る方向に付勢するゼンマイバネ１６が配置されている。
【００１８】
また、リール１４のゼンマイバネ１６とは反対側つまり上面には、たとえば燐青銅製の接点部１７が取り付けられている。この接点部１７は、コンセント部１１やプラグ１２の各極に対応して２つ設けられており、コード１３と導通している。そして、リール１４に取り付けられていることから、接点部１７はリール１４の回転により回転する。なお、使用されるエリアの給電形態に応じて、接点部１７や後述する配線パターン１８ａは３つ以上としてもよい。そして、この場合には、コンセント部１１やプラグ１２の極数も３極以上となり、コード１３は３芯以上となることは勿論である。
【００１９】
リール１４の上方には、コンセント部１１と導通する２つの配線パターン１８ａが同心円上に形成された配線板１８が配置されている。そして、リール１４に取り付けられた各接点部１７は、外側の配線パターン１８ａおよび内側の配線パターン１８ａとそれぞれ接触しており、リール１４の回転によりこれらの配線パターン１８ａと摺動して回転する。
【００２０】
ここで、接点部１７は配線パターン１８ａに対して圧接するブラシ構造となっており、リール１４が回転しても配線パターン１８ａとの電気的接続を安定して保つことができる配慮がなされている。また、接点部１７は複数位置（図示する場合には２箇所）で配線パターン１８ａと接触しており、リール１４の回転が不安定になった場合に発生する接続障害を未然に防止している。
【００２１】
上部ケース１０ｂには貫通孔１０ｂ１　が形成されている。この貫通孔１０ｂ１　には、配線板１８、リール１４およびゼンマイバネ１６を貫通して抑え板１５に嵌合するシャフトケース１９が挿入されている。そして、コンセント部１１はこのシャフトケース１９に取り付けられ、シャフトケース１９を介してケース１０に固定されている。したがって、コンセント部１１はリール１４の軸方向に設置されていることになる。
【００２２】
なお、コンセント部１１は、このようにシャフトケース１９を介してケース１０に固定されていてもよいが、他の部材を介して、あるいは直接ケース１０に固定されていてもよい。
【００２３】
コンセント部１１は、外部に露出したコンセント板１１ａと、コンセント板１１ａに覆われた端子板１１ｂとで構成されており、プラグをコンセント板１１ａに挿入すると、プラグが端子板１１ｂと接触嵌合して電気的に接続されるようになっている。なお、接点部１７は端子板１１ｂと導通している。
【００２４】
このようなコード巻き取り装置には、前述したゼンマイバネ１６の付勢力に抗してリール１４の回転を阻止する第１の状態と、ゼンマイバネ１６の付勢力を作用させてリール１４の回転を許容する第２の状態とを選択的にとる係止部が設けられている。
【００２５】
すなわち、図示するように、係止部は、リール１４の外周面に形成された大きさの異なる第１の爪２１ａと第２の爪２１ｂとからなるラチェット２１と、ケース１０側に設けられたピン２２とを備えている。そして、第１の爪２１ａと第２の爪２１ｂとの間は、ピン２２がはまり込むことができる程度の隙間であるストッパ溝２１ｃとなっている。また、ピン２２は板バネ２３によりリール１４の径方向内側に押圧されている。
【００２６】
そして、ピン２２は、ゼンマイバネ１６のバネ力によるリール１４の回転が所定速度以下の場合には、ストッパ溝２１ｃにはまり込んで第１の爪２１ａに当接し、これによりリール１４の回転を阻止する（第１の状態）。また、所定速度以上の場合には、回転速度が速いためにストッパ溝２１ｃにはまり込むことができずにリール１４の回転を許容する（第２の状態）。
【００２７】
したがって、コード１３を所望の長さだけ引き出してゆっくり手を離すと、コード１３を巻き取る方向へのリール１４の回転速度が遅いためにピン２２がストッパ溝２１ｃにはまり込んでリール１４の回転が停止する。また、コード１３を引き出す方向に引っ張って急に手を離すと、コード１３を巻き取る方向へのリール１４の回転速度が速くなってピン２２はストッパ溝２１ｃにははまり込むことができなくなるので、リール１４はゼンマイバネ１６のバネ力により回転し続ける。これにより、コード１３は完全にリール１４に巻き取られる。
【００２８】
よって、手動によるコード１３の固定、引き出しおよび巻き取り操作を容易に行うことができる。また、コード１３の引き出しや巻き取りにボタン操作を必要としないため、ボタンが誤って押されてコード１３が巻き取られてしまうことがない。但し、巻き取り用のボタンを操作することにより第１の状態および第２の状態が実現されるようになっていてもよい。
【００２９】
なお、図示するように、ラチェット２１は、リール１４の外周面の周方向に複数設置するのがよい。これは、ラチェット２１を多く設置すると、ピン２２がはまり込むストッパ溝２１ｃが多くなってリール１４の停止位置が多箇所になるので、コード１３の長さの微調整が可能になるからである。
【００３０】
以上説明したように、本実施の形態のコード巻き取り装置によれば、コード１３が巻き付けられるリール１４に取り付けられた接点部１７がコンセント部１１と導通した配線板１８の配線パターン１８ａと摺動しながら回転することから、リール１４が回転してもコンセント部１１は回転しないので、導通の信頼性を確保しつつコンセント部１１を利用した状態でコード１３の引き出しおよび巻き取りを行うことが可能になる。
【００３１】
（実施の形態２）
図３は本発明の実施の形態２におけるコード巻き取り装置を示す斜視図、図４は図３のコード巻き取り装置の内部構造を示す分解斜視図である。
【００３２】
本実施の形態のコード巻き取り装置は、コンセント部１１がシャフトケース１９ではなく、上部ケース１０ｂ上に取り付けられている点で、つまりコンセント部１１がリール１４の軸方向以外の箇所に設置されている点で、前述した実施の形態１におけるコード巻き取り装置と異なっている。
【００３３】
コンセント部１１をリール１４の軸方向以外の箇所に設置すれば、コンセント部１１がシャフトケース１９の大きさに拘束されることなくそのレイアウトについての自由度が大きくなるので、コンセント部１１の口数の増加やコンセント部１１そのものの増設が容易になる。
【００３４】
（実施の形態３）
図５は本発明の実施の形態３におけるコード巻き取り装置を示す斜視図、図６は図５のコード巻き取り装置の内部構造を示す分解斜視図である。
【００３５】
本実施の形態のコード巻き取り装置は、図５に示すように、コード１３にたとえば３つ口のコンセントボックス２０が取り付けられたものである。このコンセントボックス２０は、一対のコンセントケース２４と、上側のコンセントケース２４に取り付けられたコンセント板２５と、コンセントケース２４内に収容された端子板２６とから構成されており、プラグをコンセント板２５に挿入すると、プラグが端子板２６と接触嵌合して電気的に接続されるようになっている。
【００３６】
また、本実施の形態のコード巻き取り装置は、ケース１０側が壁コンセント（図示せず）に固定されるようになっており、壁コンセントに挿入される端子板２７が下部ケース１０ａの底部から外部に突出して設けられている。
【００３７】
そして、本実施の形態のコード巻き取り装置におけるコード１３の巻き取り構造は、シャフトケースがないこと以外は実施の形態１における装置と同様となっている。
【００３８】
このように、コード１３には、プラグではなくコンセントボックス２０を取り付けることもできる。なお、このようなボックス形ではなく、平形のコンセントを取り付けてもよい。
【００３９】
（実施の形態４）
図７は本発明の実施の形態４におけるコード巻き取り装置の内部構造を示す分解斜視図、図８は図７のコード巻き取り装置におけるリールによるコード巻き取り動作を示す説明図である。
【００４０】
本実施の形態においては、図８に詳しく示すように、リール１４を構成する第１のドラム１４ａおよび第２のドラム１４ｂのそれぞれの周壁が相互に接近して、連続した波形の空間であるコードガイド部２８が形成されているものである。
【００４１】
本実施の形態のコード巻き取り装置において、コード１３を巻き取る方向にリール１４が回転すると、コード１３はコードガイド部２８に案内されてリール軸１４ｃの軸方向に沿って往復動しながら巻き取られていく。これにより、コード１３がリール軸１４ｃの一点に集まることなく、リール軸１４ｃの全長にわたって万遍なく巻き取られることになるので、コード１３が絡み合うことがなくなり、引き出しおよび巻き取りを円滑に行うことができる。
【００４２】
また、このようにコード１３がリール軸１４ｃの全長にわたって万遍なく巻き取られるので、リール１４および装置本体の大きさをコンパクトにできる。
【００４３】
なお、コードガイド部２８は実施の形態１および２に示すコード巻き取り装置にも形成することができる。
【００４４】
ここで、コード巻き取り装置に用いられるコード１３には、その径方向の断面における相互に直交する径が異なっているもの、つまり平形のコードを用いるのが望ましい。これは、コード１３を平形にすれば、コード１３の巻き取り径が小さくなるので、リール径のサイズダウンを図ることができるからである。
【００４５】
【発明の効果】
以上説明したように、本発明によれば、コードが巻き付けられるリールに取り付けられた接点部がコンセント部と導通した配線板の配線パターンと摺動しながら回転することから、リールが回転してもコンセント部は回転しないので、導通の信頼性を確保しつつコンセント部を利用した状態でコードの引き出しおよび巻き取りが可能になる。
【００４６】
また、周壁が相互に接近して連続した波形の空間であるコードガイド部を形成する第１のドラムおよび第２のドラムでリールを構成すれば、コードを巻き取る方向にリールが回転すると、コードはコードガイド部に案内されてリール軸の軸方向に沿って往復動しながら巻き取られていくので、コードをリールのリール軸に万遍なく巻き取ることが可能になる。
【図面の簡単な説明】
【図１】本発明の実施の形態１におけるコード巻き取り装置を示す斜視図である。
【図２】図１のコード巻き取り装置の内部構造を示す分解斜視図である。
【図３】本発明の実施の形態２におけるコード巻き取り装置を示す斜視図である。
【図４】図３のコード巻き取り装置の内部構造を示す分解斜視図である。
【図５】本発明の実施の形態３におけるコード巻き取り装置を示す斜視図である。
【図６】図５のコード巻き取り装置の内部構造を示す分解斜視図である。
【図７】本発明の実施の形態４におけるコード巻き取り装置の内部構造を示す分解斜視図である。
【図８】図７のコード巻き取り装置におけるリールによるコード巻き取り動作を示す説明図である。
【符号の説明】
１０　ケース
１０ａ　下部ケース
１０ｂ　上部ケース
１０ｂ１　　貫通孔
１１　コンセント部
１１ａ　コンセント板
１１ｂ　端子板
１２　プラグ
１３　コード
１４　リール
１４ａ　第１のドラム
１４ｂ　第２のドラム
１４ｃ　リール軸
１５　押さえ板
１６　ゼンマイバネ
１７　接点部
１８　配線板
１８ａ　配線パターン
１９　シャフトケース
２０　コンセントボックス
２１　ラチェット
２１ａ　第１の爪
２１ｂ　第２の爪
２１ｃ　ストッパ溝
２２　ピン
２３　板バネ
２４　コンセントケース
２５　コンセント板
２６　端子板
２７　端子板
２８　コードガイド部
【図１】
2004115134.tif 000003
【図２】
2004115134.tif 000004
【図３】
2004115134.tif 000005
【図４】
2004115134.tif 000006
【図５】
2004115134.tif 000007
【図６】
2004115134.tif 000008
【図７】
2004115134.tif 000009
【図８】
2004115134.tif 000010